(57)【要約】【課題】通信の無駄を抑えることの可能な情報処理システムおよび画像形成装置を提供する。【解決手段】本開示の一実施の形態に係る情報処理システムは、互いに通信可能な画像形成装置およびモバイル端末を備えている。モバイル端末は、当該モバイル端末の識別情報を画像形成装置に送信する第１通信部と、画像形成装置によって確立された、当該モバイル端末と画像形成装置との通信を用いて、印刷データを画像形成装置に送信する第２通信部とを有している。画像形成装置は、モバイル端末から識別情報を受信する第３通信部と、第３通信部で受信した識別情報と、モバイル端末に割り当てるアドレス情報とを関連付けたアドレス管理データを生成する生成部と、モバイル端末に割り当てたアドレス情報を用いて、モバイル端末と当該画像形成装置との通信を確立する第４通信部とを有している。【選択図】図１
2020102136.tif 000002
【特許請求の範囲】
【請求項１】
互いに通信可能な画像形成装置およびモバイル端末を備え、
前記モバイル端末は、
当該モバイル端末の識別情報を前記画像形成装置に送信する第１通信部と、
前記画像形成装置によって確立された、当該モバイル端末と前記画像形成装置との通信を用いて、印刷データを前記画像形成装置に送信する第２通信部と
を有し、
前記画像形成装置は、
前記モバイル端末から前記識別情報を受信する第３通信部と、
前記第３通信部で受信した前記識別情報と、前記モバイル端末に割り当てるアドレス情報とを関連付けたアドレス管理データを生成する生成部と、
前記モバイル端末に割り当てた前記アドレス情報を用いて、前記モバイル端末と当該画像形成装置との前記通信を確立する第４通信部と
を有する
情報処理システム。
【請求項２】
前記第１通信部と前記第３通信部との間の通信は、第１無線通信によって行われ、
前記第２通信部と前記第４通信部との間の通信は、前記第１無線通信よりも高速の第２無線通信によって行われる
請求項１に記載の情報処理システム。
【請求項３】
前記第１無線通信は、ＮＦＣ(Near Field Communication)であり、
前記第２無線通信は、無線ＬＡＮ（Local Area Network）である
請求項２に記載の情報処理システム。
【請求項４】
前記識別情報は、ＭＡＣアドレスであり、
前記アドレス情報は、ＩＰアドレスである
請求項３に記載の情報処理システム。
【請求項５】
前記第１通信部は、前記第１無線通信を介して、前記第２無線通信の接続情報を前記画像形成装置に要求し、
前記第３通信部は、前記第１無線通信を介して、前記第１通信部からの要求に応じて、前記第２無線通信の前記接続情報を前記モバイル端末に送信する
請求項２に記載の情報処理システム。
【請求項６】
前記第２通信部は、前記第２無線通信を介して、前記モバイル端末に割り当てるアドレス情報を前記画像形成装置に要求し、
前記第４通信部は、前記第２無線通信を介して、前記第２通信部からの要求に応じて、前記モバイル端末に割り当てる前記アドレス情報を前記モバイル端末に送信する
請求項２に記載の情報処理システム。
【請求項７】
モバイル端末と通信可能な画像形成装置であって、
前記モバイル端末から前記モバイル端末の識別情報を受信する第１受信部と、
前記第１受信部で受信した前記識別情報と、前記モバイル端末に割り当てるアドレス情報とを関連付けたアドレス管理データを生成する生成部と、
前記モバイル端末に割り当てた前記アドレス情報を用いて確立した、前記モバイル端末と当該画像形成装置との通信を用いて、印刷データを前記モバイル端末から受信する第２受信部と
を備えた
画像形成装置。
【請求項８】
前記第１受信部と前記モバイル端末との間の通信は、第１無線通信によって行われ、
前記第２受信部と前記モバイル端末との間の通信は、前記第１無線通信よりも高速の第２無線通信によって行われる
請求項７に記載の画像形成装置。
【請求項９】
前記第１無線通信は、ＮＦＣ(Near Field Communication)であり、
前記第２無線通信は、無線ＬＡＮ（Local Area Network）である
請求項８に記載の画像形成装置。
【請求項１０】
前記識別情報は、ＭＡＣアドレスであり、
前記アドレス情報は、ＩＰアドレスである
請求項９に記載の画像形成装置。
【発明の詳細な説明】
【技術分野】
【０００１】
本開示は、情報処理システムおよび画像形成装置に関する。
【背景技術】
【０００２】
ＮＦＣ(Near Field Communication)方式の無線通信を利用して、画像形成装置と通信する携帯端末（モバイル端末）がある。例えば、特許文献１に記載のシステムでは、モバイル端末を画像形成装置のＮＦＣにかざすと、画像形成装置の識別情報（ＩＰアドレス、ＭＡＣアドレス）が読み取られ、その識別情報を利用してモバイル端末から画像形成装置に対して印刷が実行される。
【先行技術文献】
【特許文献】
【０００３】
【特許文献１】特開２０１８−５２００２号公報
【発明の概要】
【発明が解決しようとする課題】
【０００４】
ところで、従来のシステムでは、モバイル端末は、画像形成装置に接続してから印刷を実行する必要がある。その場合に、画像形成装置がビジー状態であるときには、モバイル端末が印刷実行を指示しても、印刷がすぐに実行されない可能性がある。また、印刷がすぐに実行されない場合に、モバイル端末が、画像形成装置に接続し直した上で印刷実行を指示する必要があるときには、最初の通信が無駄になってしまうという問題があった。従って、通信の無駄を抑えることの可能な情報処理システムおよび画像形成装置を提供することが望ましい。
【課題を解決するための手段】
【０００５】
本開示の一実施の形態に係る情報処理システムは、互いに通信可能な画像形成装置およびモバイル端末を備えている。モバイル端末は、当該モバイル端末の識別情報を画像形成装置に送信する第１通信部と、画像形成装置によって確立された、当該モバイル端末と画像形成装置との通信を用いて、印刷データを画像形成装置に送信する第２通信部とを有している。画像形成装置は、モバイル端末から識別情報を受信する第３通信部と、第３通信部で受信した識別情報と、モバイル端末に割り当てるアドレス情報とを関連付けたアドレス管理データを生成する生成部と、モバイル端末に割り当てたアドレス情報を用いて、モバイル端末と当該画像形成装置との通信を確立する第４通信部とを有している。
【０００６】
本開示の一実施の形態に係る情報処理システムでは、モバイル端末の識別情報と、モバイル端末に割り当てるアドレス情報とを関連付けたアドレス管理データが生成され、モバイル端末に割り当てたアドレス情報を用いて、モバイル端末と画像形成装置との通信が確立される。この情報処理システムでは、モバイル端末に割り当てたアドレス情報を用いて、モバイル端末と画像形成装置との通信が確立されたときに、その通信を用いて、印刷データがモバイル端末から画像形成装置に送信される。これにより、例えば、画像形成装置において印刷できる状況になった段階で、モバイル端末と画像形成装置との間に確立された通信を用いて、印刷データを画像形成装置に送信することができる。
【０００７】
本開示の一実施の形態に係る画像形成装置は、モバイル端末と通信可能な装置である。この画像形成装置は、モバイル端末からモバイル端末の識別情報を受信する第１受信部と、第１受信部で受信した識別情報と、モバイル端末に割り当てるアドレス情報とを関連付けたアドレス管理データを生成する生成部とを備えている。この画像形成装置は、さらに、モバイル端末に割り当てたアドレス情報を用いて確立した、モバイル端末と当該画像形成装置との通信を用いて、印刷データをモバイル端末から受信する第２受信部を備えている。
【０００８】
本開示の一実施の形態に係る画像形成装置では、モバイル端末の識別情報と、モバイル端末に割り当てるアドレス情報とを関連付けたアドレス管理データが生成され、モバイル端末に割り当てたアドレス情報を用いて確立された、モバイル端末と画像形成装置との通信を用いて、印刷データがモバイル端末から画像形成装置に受信される。これにより、例えば、画像形成装置において印刷できる状況になった段階で、モバイル端末と画像形成装置との間に確立された通信を用いて、印刷データを画像形成装置で受信することができる。
【発明の効果】
【０００９】
本開示の一実施の形態に係る情報処理システムによれば、画像形成装置において印刷できる状況になった段階で、モバイル端末と画像形成装置との間に確立された通信を用いて、印刷データを画像形成装置に送信することができるようにしたので、通信の無駄を抑えることができる。
【００１０】
本開示の一実施の形態に係る画像形成装置によれば、画像形成装置において印刷できる状況になった段階で、モバイル端末と画像形成装置との間に確立された通信を用いて、印刷データを画像形成装置で受信することができるようにしたので、通信の無駄を抑えることができる。
【図面の簡単な説明】
【００１１】
【図１】本開示の一実施形態に係る情報処理システムの概略構成例を表す図である。
【図２】図１の画像形成装置の機能ブロック例を表す図である。
【図３】図２のアドレス管理データの概念図である。
【図４】図１のモバイル端末の機能ブロック例を表す図である。
【図５】図１のモバイル端末における画面表示例を表す図である。
【図６】図１の情報処理システムにおける印刷手順の一例を表す図である。
【図７】図６に続く印刷手順の一例を表す図である。
【図８】図１のモバイル端末を図１の画像形成装置のＮＦＣ通信部にかざしている様子の一例を表す図である。
【発明を実施するための形態】
【００１２】
以下、本開示の実施の形態について、図面を参照して詳細に説明する。以下の説明は本開示の一具体例であって、本開示は以下の態様に限定されるものではない。また、本開示は、各図に示す各構成要素の配置や寸法、寸法比などについても、それらに限定されるものではない。
【００１３】
＜１．実施の形態＞
［構成］
図１は、本開示の一実施の形態に係る情報処理システム１００の概略構成例を表したものである。情報処理システム１００は、通信速度の互いに異なる２つの無線通信を用いて、モバイル端末３００と画像形成装置２００との間で諸設定や印刷の処理を実行する。情報処理システム１００では、通信速度の相対的に遅い無線通信として、ＮＦＣ(Near Field Communication)６００が用いられ、通信速度の相対的に速い無線通信として、無線ＬＡＮ（Local Area Network）５００が用いられる。情報処理システム１００において、ＮＦＣ６００は、主に、無線ＬＡＮ５００への接続に必要な諸設定を行う際に用いられ、無線ＬＡＮ５００は、主に、印刷データのモバイル端末３００から画像形成装置２００への転送に用いられる。
【００１４】
情報処理システム１００は、図１に示したように、画像形成装置２００と、モバイル端末３００とを備えている。画像形成装置２００およびモバイル端末３００は、ＮＦＣ６００および無線ＬＡＮ５００を介して互いに接続される。画像形成装置２００およびモバイル端末３００は、ともに、ＮＦＣ６００および無線ＬＡＮ５００による通信が可能となっている。無線ＬＡＮ５００には、無線ＬＡＮ５００と画像形成装置２００およびモバイル端末３００とを接続するためのアクセスポイント４００が設けられている。アクセスポイント４００の代わりに、ＡＰモードのルータが設けられていてもよい。また、アクセスポイント４００を画像形成装置２００の内部に設けたり、モバイル端末３００の無線ＬＡＮ通信部２０３（後述）にアクセスポイント４００の機能を持たせたりすることにより、無線ＬＡＮ通信部２０３と画像形成装置２００との間で直接通信をするようにしてもよい。
【００１５】
（画像形成装置２００）
図２は、画像形成装置２００の機能ブロック例を表したものである。画像形成装置２００は、モバイル端末３００から入力された印刷データに基づいて印刷を行う機能と、ＤＨＣＰ（Dynamic Host Configuration Protocol）サーバの機能とを備えている。画像形成装置２００は、例えば、記憶部２０１と、無線ＬＡＮ通信部２０３と、ＮＦＣ通信部２０４と、操作パネル部２０５と、印刷部２０８と、制御部２０９とを有している。
【００１６】
記憶部２０１には、例えば、アドレス管理データ２０２などが記憶されている。アドレス管理データ２０２は、無線ＬＡＮ５００に接続される端末に割り当てるアドレス情報であるＩＰアドレスを管理するためテーブルである。アドレス管理データ２０２は、例えば、図３に示したように、無線ＬＡＮ５００に接続される端末（例えばモバイル端末３００）のＭＡＣアドレス２０２ａと、そのＭＡＣアドレス２０２ａに対してＤＨＣＰによって割り当てられるＩＰアドレス（予約ＩＰアドレス２０２ｂ）とを含んで構成されている。アドレス管理データ２０２は、無線ＬＡＮ５００に端末が接続されるたびに制御部２０９によって生成される。
【００１７】
無線ＬＡＮ通信部２０３は、制御部２０９による制御に従って、アクセスポイント４００および無線ＬＡＮ５００を介して、モバイル端末３００と通信を行う。つまり、無線ＬＡＮ通信部２０３と、モバイル端末３００の無線ＬＡＮ通信部３０３（後述）との間の通信は、無線ＬＡＮ５００によって行われる。ＮＦＣ通信部２０４は、制御部２０９による制御に従って、ＮＦＣ６００を介して、モバイル端末３００と通信を行う。つまり、ＮＦＣ通信部２０４と、モバイル端末３００のＮＦＣ通信部３０４（後述）との間の通信は、ＮＦＣ６００によって行われる。
【００１８】
操作パネル部２０５は、例えば、操作部２０６および表示部２０７を有している。操作部２０６は、ユーザからの入力（例えば、実行指示、データ入力など）を受け付ける。操作部２０６は、例えば、表示部２０７の画面に設けられたタッチパネルによって構成されている。操作部２０６は、キーボードやマウスなどによって構成されていてもよい。表示部２０７は、制御部２０９から入力された映像信号に基づいて、画面に映像を表示する。表示部２０７は、例えば、液晶ディスプレイや有機ＥＬディスプレイなどによって構成されている。印刷部２０８は、制御部２０９から印刷指示を受けたときに、印刷データに基づく画像データを生成し、生成した画像データの印刷を実行する。
【００１９】
制御部２０９は、画像形成装置２００全体を制御する。制御部２０９は、モバイル端末３００からの各種要求を、無線ＬＡＮ通信部２０３およびＮＦＣ通信部２０４を介して受信する。制御部２０９は、モバイル端末３００からの要求に従って、各種応答を生成する。制御部２０９は、モバイル端末３００への各種要求を生成する。制御部２０９は、生成した各種応答や各種要求を、無線ＬＡＮ通信部２０３およびＮＦＣ通信部２０４を介してモバイル端末３００に送信する。制御部２０９は、モバイル端末３００からの印刷データを、無線ＬＡＮ通信部２０３を介して受信する。制御部２０９は、さらに、印刷データを印刷部２０８に転送するとともに、転送した印刷データに基づく印刷を印刷部２０８に指示する。印刷部２０８は、制御部２０９からの印刷指示を受けたときに、印刷データに基づく画像データを生成し、生成した画像データの印刷を実行する。
【００２０】
（モバイル端末３００）
図４は、モバイル端末３００の機能ブロック例を表したものである。モバイル端末３００は、印刷アプリケーション３０２を記憶した記憶部３１を有している。印刷アプリケーション３０２は、画像形成装置２００の印刷機能を利用した印刷を画像形成装置２００に実行させるための動作をモバイル端末３００に実行させるプログラムである。印刷アプリケーション３０２は、例えば、ユーザによる操作部３０６（後述）の操作によって、無線ＬＡＮ通信部３０３および無線ＬＡＮ５００を介して、外部機器からモバイル端末３００にインストールされたプログラムである。印刷アプリケーション３０２は、ユーザによる操作部３０６（後述）の操作によって、制御部３０８にロードされる。制御部３０８は、印刷アプリケーション３０２が制御部３０８にロードされることにより、印刷アプリケーション３０２に記述された動作を行う。印刷アプリケーション３０２がロードされた制御部３０８による動作については、後に詳述する。
【００２１】
モバイル端末３００は、さらに、無線ＬＡＮ通信部３０３、ＮＦＣ通信部３０４、操作パネル部３０５および制御部３０８を有している。
【００２２】
無線ＬＡＮ通信部３０３は、制御部３０８による制御に従って、アクセスポイント４００および無線ＬＡＮ５００を介して、画像形成装置２００と通信を行う。ＮＦＣ通信部３０４は、制御部３０８による制御に従って、ＮＦＣ６００を介して、画像形成装置２００と通信を行う。
【００２３】
操作パネル部３０５は、例えば、操作部３０６および表示部３０７を有している。操作部３０６は、ユーザからの入力（例えば、実行指示、データ入力など）を受け付ける。操作部３０６は、例えば、表示部３０７の画面に設けられたタッチパネルによって構成されている。表示部３０７は、制御部３０８から入力された映像信号に基づいて、画面に映像を表示する。表示部３０７は、例えば、液晶ディスプレイや有機ＥＬディスプレイなどによって構成されている。
【００２４】
制御部３０８は、モバイル端末３００全体を制御する。制御部３０８は、画像形成装置２００からの各種要求を、無線ＬＡＮ通信部３０３およびＮＦＣ通信部３０４を介して受信する。制御部３０８は、画像形成装置２００からの要求に従って、各種応答を生成する。制御部３０８は、画像形成装置２００への各種要求を生成する。制御部３０８は、生成した各種応答や各種要求を、無線ＬＡＮ通信部３０３およびＮＦＣ通信部３０４を介して画像形成装置２００に送信する。制御部３０８は、記憶部３０１から読み出した印刷データを、無線ＬＡＮ通信部３０３を介して画像形成装置２００へ送信する。制御部３０８は、上述したように、印刷アプリケーション３０２が制御部３０８にロードされることにより、印刷アプリケーション３０２に記述された一連の動作を行う。
【００２５】
[動作]
次に、図５、図６、図７を参照して、本実施の形態に係る情報処理システム１００における印刷動作について説明する。図５は、モバイル端末３００における画面表示例を表したものである。図６は、情報処理システム１００における印刷手順の一例を表したものである。図７は、図６に続く印刷手順の一例を表したものである。
【００２６】
まず、ユーザは、操作部３０６を操作することにより、印刷アプリケーション３０２の起動を指示する。モバイル端末３００（制御部３０８）は、ユーザによる操作部３０６の操作に従って、印刷アプリケーション３０２を記憶部３０１から読み出し、制御部３０８にロードする。このとき、モバイル端末３００（制御部３０８）は、例えば、図５の左上に示したような映像Ｉａを表示部３０７の画面に表示させる映像信号を生成し、表示部３０７に出力する。表示部３０７は、制御部３０８から入力された映像信号に基づいて、例えば、図５の左上に示したような映像Ｉａを表示部３０７の画面に表示する。映像Ｉａには、例えば、選択された印刷データのファイル名を表示する窓３０７ａと、印刷データの参照を指示するファイル参照ボタン３０７ｂと、印刷の実行を指示する印刷ボタン３０７ｃとが含まれている。
【００２７】
次に、ユーザは、画面に表示された映像Ｉａにおいて、ファイル参照ボタン３０７ｂをタップする。すると、操作部３０６は、ユーザによってファイル参照ボタン３０７ｂがタップされたことを制御部３０８に通知する。モバイル端末３００（制御部３０８）は、操作部３０６からの通知に従って、例えば、図５の右上に示したような映像Ｉｂを表示部３０７の画面に表示させる映像信号を生成し、表示部３０７に出力する。表示部３０７は、制御部３０８から入力された映像信号に基づいて、例えば、図５の右上に示したような映像Ｉｂを表示部３０７の画面に表示する。映像Ｉｂには、例えば、参照可能な複数の印刷データのアイコン３０７ｄが含まれている。
【００２８】
次に、ユーザは、画面に表示された映像Ｉｂにおいて、印刷したい印刷データのアイコン３０７ｄをタップする。すると、操作部３０６は、ユーザによって特定のアイコン３０７ｄがタップされたことを制御部３０８に通知する。モバイル端末３００（制御部３０８）は、操作部３０６からの通知に従って、例えば、図５の左中央に示したような映像Ｉｃを表示部３０７の画面に表示させる映像信号を生成し、表示部３０７に出力する。表示部３０７は、制御部３０８から入力された映像信号に基づいて、例えば、図５の左中央に示したような映像Ｉｃを表示部３０７の画面に表示する。映像Ｉｃには、例えば、選択された印刷データのファイル名が表示された窓３０７ａと、印刷データの参照を指示するファイル参照ボタン３０７ｂと、印刷の実行を指示する印刷ボタン３０７ｃとが含まれている。
【００２９】
次に、ユーザは、画面に表示された映像Ｉｃにおいて、印刷ボタン３０７ｃをタップする。すると、操作部３０６は、ユーザによって印刷ボタン３０７ｃがタップされたことを制御部３０８に通知する。モバイル端末３００（制御部３０８）は、操作部３０６からの通知に従って、例えば、図５の右中央に示したような映像Ｉｄを表示部３０７の画面に表示させる映像信号を生成し、表示部３０７に出力する。表示部３０７は、制御部３０８から入力された映像信号に基づいて、例えば、図５の右中央に示したような映像Ｉｄを表示部３０７の画面に表示する。映像Ｉｄには、例えば、「プリンタにスマホをかざしてください。」という指示３０７ｅが含まれている。
【００３０】
次に、ユーザは、画面に表示された指示３０７ｅに従って、例えば、図８に示したように、モバイル端末３００を画像形成装置２００におけるＮＦＣ通信部２０４にかざす。このとき、モバイル端末３００（制御部３０８）は、「所定の送信条件」を満たしたことを検知した場合には、例えば、図５の左下に示したような映像Ｉｅを表示部３０７の画面に表示させる映像信号を生成し、表示部３０７に出力する。表示部３０７は、制御部３０８から入力された映像信号に基づいて、例えば、図５の左下に示したような映像Ｉｅを表示部３０７の画面に表示する。映像Ｉｅには、例えば、「印刷中」というステータス３０７ｆが含まれている。
【００３１】
「所定の送信条件」とは、例えば、印刷ボタン３０７ｃがタップされたことと、モバイル端末３００と画像形成装置２００とがＮＦＣによって互いに通信可能になったこととを指している。
【００３２】
その後、モバイル端末３００および画像形成装置２００は、図６、図７に記載の手順を順次実行する。そして、印刷が完了すると、モバイル端末３００（制御部３０８）は、例えば、図５の右下に示したような映像Ｉｆを表示部３０７の画面に表示させる映像信号を生成し、表示部３０７に出力する。表示部３０７は、制御部３０８から入力された映像信号に基づいて、例えば、図５の右下に示したような映像Ｉｆを表示部３０７の画面に表示する。映像Ｉｆには、例えば、「印刷完了」というステータス３０７ｇが含まれている。
【００３３】
次に、図６、図７に記載の手順について説明する。
【００３４】
まず、モバイル端末３００（制御部３０８）は、上述の「所定の送信条件」を満たしているか否か判定する（ステップＳ１０１）。モバイル端末３００（制御部３０８）は、上述の「所定の送信条件」を満たしていると判定した場合には、モバイル端末３００の識別情報であるＭＡＣアドレスを、ＮＦＣ６００を介して画像形成装置２００に送信する（ステップＳ１０２）。画像形成装置２００（制御部２０９）は、モバイル端末３００からＭＡＣアドレスを受信すると、受信したＭＡＣアドレスに対応するＩＰアドレスを予約して、記憶部２０１に保存する（ステップＳ１０３、Ｓ１０４）。このとき、画像形成装置２００（制御部２０９）は、まず、モバイル端末３００からＭＡＣアドレスを受信すると、ＭＡＣアドレスに対応するモバイル端末３００に対して割り当てるＩＰアドレスを生成する。続いて、画像形成装置２００（制御部２０９）は、例えば、図３に示したように、生成したＩＰアドレス（例えば、１９２．１６８．１００．１００）と、受信したＭＡＣアドレス（例えば、００：００：００：００：００：０１）とを互いに関連付けたアドレス管理データ２０２を生成し、記憶部２０１に保存する。または、画像形成装置２００（制御部２０９）は、例えば、図３に示したように、生成したＩＰアドレス（例えば、１９２．１６８．１００．１００）を、受信したＭＡＣアドレス（例えば、００：００：００：００：００：０１）と関連付けて、アドレス管理データ２０２に保存する。画像形成装置２００（制御部２０９）は、このような一組のＭＡＣアドレスおよびＩＰアドレスをアドレス管理データ２０２に保存することにより、ＭＡＣアドレスに対応するモバイル端末３００からの印刷ジョブの予約を行う。
【００３５】
次に、モバイル端末３００（制御部３０８、ＮＦＣ通信部３０４）は、無線ＬＡＮ５００のアクセスポイント４００の接続情報（例えば、ネットワーク名、ネットワークキー）を画像形成装置２００に要求する（ステップＳ１０５）。具体的には、モバイル端末３００（制御部３０８、ＮＦＣ通信部３０４）は、無線ＬＡＮ５００のアクセスポイント４００の接続情報の要求を、ＮＦＣ６００を介して画像形成装置２００に行う。画像形成装置２００（制御部２０９）は、モバイル端末３００から、無線ＬＡＮ５００のアクセスポイント４００の接続情報の要求を受信する（ステップＳ１０６）。すると、画像形成装置２００（制御部２０９）は、モバイル端末３００（制御部３０８、ＮＦＣ通信部３０４）からの要求に応じて、無線ＬＡＮ５００のアクセスポイント４００の接続情報を、ＮＦＣ６００を介してモバイル端末３００に送信する（ステップＳ１０７）。
【００３６】
モバイル端末３００（制御部３０８）は、無線ＬＡＮ５００のアクセスポイント４００の接続情報を、ＮＦＣ６００を介して画像形成装置２００から受信する（ステップＳ１０８）。すると、モバイル端末３００（制御部３０８）は、受信したアクセスポイント４００の接続情報を用いて、無線ＬＡＮ５００に接続する（ステップＳ１０９）。続いて、モバイル端末３００（制御部３０８）は、モバイル端末３００に割り当てるＩＰアドレスの要求を無線ＬＡＮ５００に発信する（ステップＳ１１０）。つまり、モバイル端末３００（制御部３０８）は、無線ＬＡＮ５００を介して、モバイル端末３００に割り当てるＩＰアドレスを画像形成装置２００に要求する。このとき、モバイル端末３００（制御部３０８）は、ＩＰアドレスの要求とともに、自身のＭＡＣアドレスを無線ＬＡＮ５００に発信する。画像形成装置２００（制御部２０９）は、ＤＨＣＰの機能を用いて、無線ＬＡＮ５００に発信された、モバイル端末３００からのＩＰアドレスの要求を検出する（ステップＳ１１１）。
【００３７】
画像形成装置２００（制御部２０９）は、ＤＨＣＰの機能を用いて、ＩＰアドレスの要求に付随するＭＡＣアドレスと、アドレス管理データ２０２に保存されているＭＡＣアドレスとを対比する。その結果、ＩＰアドレスの要求に含まれるＭＡＣアドレスと、アドレス管理データ２０２に保存されているＭＡＣアドレスとが一致する場合には、画像形成装置２００（制御部２０９）は、ＩＰアドレスの要求をしてきたモバイル端末３００に対して、予約したＩＰアドレスを割り当てる（ステップＳ１１２）。具体的には、画像形成装置２００（制御部２０９）は、ＩＰアドレスの要求をしてきたモバイル端末３００に対して、予約したＩＰアドレスを、無線ＬＡＮ５００を介して送信する。画像形成装置２００（制御部２０９）は、無線ＬＡＮ５００を介して、モバイル端末３００（制御部３０８、無線ＬＡＮ通信部３０３）からの要求に応じて、モバイル端末３００に割り当てるＩＰアドレスをモバイル端末３００に送信する。モバイル端末３００（制御部３０８）は、自身に割り当てられたＩＰアドレスを印刷ポートに設定する（ステップＳ１１３）。続いて、モバイル端末３００（制御部３０８）は、印刷ポートをオープンする（ステップＳ１１４）。印刷ポートしては、例えば、Ｐｏｒｔ９１００や、ＬＰＲ、ＦＴＰなどが挙げられる。
【００３８】
画像形成装置２００（制御部２０９）は、印刷部２０８のステータスが、モバイル端末３００から受け付けた印刷ジョブの予約を直ちに実行できる条件（印刷条件）を満たすか否か判定する（ステップＳ１１５）。このとき、印刷部２０８のステータスがビジー状態であったり、不具合ありであったりする場合には、画像形成装置２００（制御部２０９）は、モバイル端末３００から受け付けた印刷ジョブの予約を直ちに実行せず、印刷部２０８のステータスが印刷可に変わるのを待つ。印刷部２０８のステータスが印刷可となっている場合、または、印刷部２０８のステータスが印刷可に変わった場合には、画像形成装置２００（制御部２０９）は、モバイル端末３００から受け付けた印刷ジョブの予約を実行に移す。具体的には、画像形成装置２００（制御部２０９）は、モバイル端末３００に割り当てたＩＰアドレスを用いて、無線ＬＡＮ５００を介して、モバイル端末３００の印刷ポートに接続する（ステップＳ１１６）。つまり、画像形成装置２００（制御部２０９）は、モバイル端末３００に割り当てたＩＰアドレスを用いて、無線ＬＡＮ５００において、モバイル端末３００と画像形成装置２００との通信を確立する。このとき、画像形成装置２００（制御部２０９）は、自身がクライアントで、モバイル端末３００がホストであるかのようにふるまう。これにより、画像形成装置２００とモバイル端末３００との間の通信が、無線ＬＡＮ５００によって確立される。
【００３９】
モバイル端末３００（制御部３０８）は、モバイル端末３００が印刷ポートに接続したのを検知すると、画像形成装置２００によって確立された、画像形成装置２００とモバイル端末３００との間の無線ＬＡＮ５００による通信を用いて、印刷データを画像形成装置２００に送信する（ステップＳ１１７、Ｓ１１８）。画像形成装置２００（制御部２０９）は、無線ＬＡＮ５００を介して、印刷データを受信すると、印刷を実行する（ステップＳ１１９、Ｓ１２０）。具体的には、画像形成装置２００（制御部２０９）は、印刷指示を印刷部２０８に出力するとともに、印刷データを印刷部２０８に出力する。印刷部２０８は、制御部２０９から印刷指示を受けると、印刷データに基づく画像データを生成し、生成した画像データの印刷を実行する。このようにして、情報処理システム１００における印刷動作が行われる。
【００４０】
[効果]
次に、本実施形態に係る撮像装置１の効果について説明する。
【００４１】
ＮＦＣ方式の無線通信を利用して、画像形成装置と通信するモバイル端末がある。例えば、上記特許文献１に記載のシステムでは、モバイル端末を画像形成装置のＮＦＣにかざすと、画像形成装置の識別情報（ＩＰアドレス、ＭＡＣアドレス）が読み取られ、その識別情報を利用してモバイル端末から画像形成装置に対して印刷が実行される。
【００４２】
ところで、上記特許文献１に記載のシステムでは、モバイル端末は、画像形成装置に接続してから印刷を実行する必要がある。その場合に、画像形成装置がビジー状態であるときには、モバイル端末が印刷実行を指示しても、印刷がすぐに実行されない可能性がある。また、印刷がすぐに実行されない場合に、モバイル端末が、画像形成装置に接続し直した上で印刷実行を指示する必要があるときには、最初の通信が無駄になってしまう。
【００４３】
一方、本実施の形態に係る情報処理システム１００では、モバイル端末３００のＭＡＣアドレスと、モバイル端末３００に割り当てるＩＰアドレスとを関連付けたアドレス管理データ２０２が生成され、モバイル端末３００に割り当てたＩＰアドレスを用いて、モバイル端末３００と画像形成装置２００との通信（無線ＬＡＮ５００）が確立される。この情報処理システム１００では、モバイル端末３００に割り当てたＩＰアドレスを用いて、モバイル端末３００と画像形成装置２００との通信（無線ＬＡＮ５００）が確立されたときに、その通信（無線ＬＡＮ５００）を用いて、印刷データがモバイル端末３００から画像形成装置２００に送信される。これにより、例えば、画像形成装置２００において印刷できる状況になった段階で、モバイル端末３００と画像形成装置２００との間に確立された通信（無線ＬＡＮ５００）を用いて、印刷データを画像形成装置２００に送信することができる。その結果、通信の無駄を抑えることができる。
【００４４】
一方、本実施の形態に係る画像形成装置２００では、モバイル端末３００のＭＡＣアドレスと、モバイル端末３００に割り当てるＩＰアドレスとを関連付けたアドレス管理データ２０２が生成され、モバイル端末３００に割り当てたＩＰアドレスを用いて確立された、モバイル端末３００と画像形成装置２００との通信（無線ＬＡＮ５００）を用いて、印刷データがモバイル端末３００から画像形成装置２００に受信される。これにより、例えば、画像形成装置２００において印刷できる状況になった段階で、モバイル端末３００と画像形成装置２００との間に確立された通信（無線ＬＡＮ５００）を用いて、印刷データを画像形成装置２００で受信することができる。その結果、通信の無駄を抑えることができる。
【００４５】
また、本実施の形態では、ＩＰアドレスの送信はＮＦＣ６００を介して行われ、印刷データの送信は無線ＬＡＮ５００を介して行われる。これにより、通信速度に応じたデータ通信を行うことができるので、円滑に印刷処理を行うことができる。
【００４６】
また、本実施の形態では、ＮＦＣ６００を介して、無線ＬＡＮ５００のアクセスポイント４００の情報がモバイル端末３００から画像形成装置２００に要求される。さらに、ＮＦＣ６００を介して、モバイル端末３００からの要求に応じて、無線ＬＡＮ５００のアクセスポイント４００の情報が画像形成装置２００からモバイル端末３００に送信される。これにより、ユーザがモバイル端末３００に対して、無線ＬＡＮ５００のアクセスポイント４００の情報を入力する手間を省くことができる。その結果、円滑に印刷処理を行うことができる。
【００４７】
また、本実施の形態では、無線ＬＡＮ５００を介して、モバイル端末３００に割り当てるＩＰアドレスがモバイル端末３００から画像形成装置２００に要求される。さらに、無線ＬＡＮ５００を介して、モバイル端末３００からの要求に応じて、モバイル端末３００に割り当てるＩＰアドレスが画像形成装置２００からモバイル端末３００に送信される。これにより、ユーザがモバイル端末３００に対してＩＰアドレスを設定する手間を省くことができる。その結果、円滑に印刷処理を行うことができる。
【００４８】
＜２．変形例＞
上記実施の形態において、通信速度の相対的に遅い無線通信として、Ｂｌｕｅｔｏｏｔｈ（登録商標）などの近距離無線通信が用いられてもよい。また、上記実施の形態において、２つの無線通信の代わりに、１つの無線通信が用いられてもよい。このとき、１つの無線通信として、無線ＬＡＮが用いられてもよい。
【符号の説明】
【００４９】
１００…情報処理システム、２００…画像形成装置、２０１…記憶部、２０２…アドレス管理データ、２０２ａ…ＭＡＣアドレス、２０２ｂ…予約ＩＰアドレス、２０３…無線ＬＡＮ通信部、２０４…ＮＦＣ通信部、２０５…操作パネル部、２０６…操作部、２０７…表示部、２０８…印刷部、２０９…制御部、３００…モバイル端末、３０１…記憶部、３０２…印刷アプリケーション、３０３…無線ＬＡＮ通信部、３０４…ＮＦＣ通信部、３０５…操作パネル部、３０６…操作部、３０７…表示部、３０８…制御部、４００…アクセスポイント、５００…無線ＬＡＮ、６００…ＮＦＣ。
【図１】
2020102136.tif 000003
【図２】
2020102136.tif 000004
【図３】
2020102136.tif 000005
【図４】
2020102136.tif 000006
【図５】
2020102136.tif 000007
【図６】
2020102136.tif 000008
【図７】
2020102136.tif 000009
【図８】
2020102136.tif 000010